(57)【特許請求の範囲】
【請求項１】
デジタルカメラと画像再生装置とを接続した画像再生システムであって、
前記画像再生装置は、
前記デジタルカメラから画像を取得して、記録媒体に記録する画像記録手段と、
使用者からの指示に基づいて、前記記録媒体に記録された画像を再生する再生手段と、
前記画像再生装置の利用状況に関する利用状況データを前記デジタルカメラへ送信する送信手段とを備え、
前記デジタルカメラは、
前記画像再生装置から前記利用状況データを取得するデータ取得手段と、
前記データ取得手段で取得した前記利用状況データに基づいて、前記デジタルカメラを制御する制御手段とを備え、
前記デジタルカメラおよび前記画像再生装置のそれぞれは、画像内に存在する特定の被写体を、記録した被写体情報を用いて特定する特定手段をさらに備え、
前記利用状況データは、前記特定手段によって特定された被写体ごとの、前記再生手段による画像の再生状況を示す再生状況データを含み、
前記制御手段は、取得した前記再生状況データに基づいて、前記デジタルカメラの設定を変更することを特徴とする画像再生システム。
【請求項２】
請求項１に記載の画像再生システムにおいて、
前記利用状況データは、前記再生手段によって再生された画像のスライドショーデータを含み、
前記制御手段は、使用者からの指示に基づいて、取得した前記スライドショーデータを用いて画像を再生することを特徴とする画像再生システム。
【請求項３】
請求項１〜２のいずれか一項に記載の画像再生システムにおいて、
前記再生状況データは、被写体ごとの画像の再生回数を含み、
前記デジタルカメラの前記特定手段は、撮影時に前記被写体情報を用いて被写体を特定し、
前記制御手段は、撮影時に複数の被写体が特定された場合には、前記画像再生装置上で再生回数が最も多い被写体に対して焦点を合わせて画像を撮影することを特徴とする画像再生システム。
【請求項４】
請求項１〜３のいずれか一項に記載の画像再生システムにおいて、
前記再生状況データは、被写体ごとの再生時に拡大表示された回数を含み、
前記デジタルカメラの前記特定手段は、撮影時に前記被写体情報を用いて被写体を特定し、
前記制御手段は、特定された被写体が前記画像再生装置上で拡大表示された回数に応じて、撮影時の撮影解像度を変化させることを特徴とする画像再生システム。
【請求項５】
請求項１〜４のいずれか一項に記載のデジタルカメラ。
【請求項６】
請求項１〜４のいずれか一項に記載の画像再生装置。
【請求項７】
デジタルカメラにおいて、
画像再生装置で再生した画像内の被写体ごとの再生状況を示す再生状況データを取得するデータ取得手段と、
撮影する画像内に存在する特定の被写体を、記録媒体に記録した被写体情報を用いて特定する特定手段と、
前記特定手段によって特定された撮影する画像内に存在する被写体の撮影時に、前記データ取得手段より取得した前記再生状況データに基づいて、前記デジタルカメラの設定を変更する制御手段とを備えることを特徴とするデジタルカメラ。
【請求項８】
請求項７に記載のデジタルカメラにおいて、
前記データ取得手段は、被写体ごとの画像の再生回数を含む前記再生状況データを取得し、
前記特定手段は、撮影時に前記被写体情報を用いて被写体を特定し、
前記制御手段は、撮影時に複数の被写体が特定された場合には、前記画像再生装置上で再生回数が最も多い被写体に対して焦点を合わせて画像を撮影することを特徴とするデジタルカメラ。
【請求項９】
請求項７〜８のいずれか一項に記載のデジタルカメラにおいて、
前記データ取得手段は、被写体ごとの再生時に拡大表示された回数を含む前記再生状況データを取得し、
前記特定手段は、撮影時に前記被写体情報を用いて被写体を特定し、
前記制御手段は、特定された被写体が前記画像再生装置上で拡大表示された回数に応じて、撮影時の撮影解像度を変化させることを特徴とするデジタルカメラ。
【発明の詳細な説明】
【技術分野】
【０００１】
本発明は、デジタルカメラで撮影した画像を画像再生装置で再生するための画像再生システム、画像再生システムを構成するデジタルカメラ、および画像再生装置に関する。
【背景技術】
【０００２】
次のような画像管理装置が知られている。この画像管理装置では、入力画像の被写体を認識するために被写体ごとの参照画像を記憶しておき、参照画像と入力画像とを比較して入力画像に含まれている被写体を認識する。そして、被写体の認識結果に応じた画像の表示を行う（例えば、特許文献１）。
【０００３】
【特許文献１】特開２００２−１６９８０９号公報
【発明の開示】
【発明が解決しようとする課題】
【０００４】
しかしながら、従来の画像管理装置では、装置単体での動作を前提としており、デジタルカメラとの連携が十分に考慮されていなかったため、使用者は画像管理装置とデジタルカメラを別々に操作しなければならなかった。
【課題を解決するための手段】
【０００５】
請求項１に記載の本発明は、デジタルカメラと画像再生装置とを接続した画像再生システムであって、画像再生装置は、デジタルカメラから画像を取得して、記録媒体に記録する画像記録手段と、使用者からの指示に基づいて、記録媒体に記録された画像を再生する再生手段と、画像再生装置の利用状況に関する利用状況データをデジタルカメラへ送信する送信手段とを備え、デジタルカメラは、画像再生装置から利用状況データを取得するデータ取得手段と、データ取得手段で取得した利用状況データに基づいて、デジタルカメラを制御する制御手段とを備え、デジタルカメラおよび画像再生装置のそれぞれは、画像内に存在する特定の被写体を、記録した被写体情報を用いて特定する特定手段をさらに備え、利用状況データは、特定手段によって特定された被写体ごとの、再生手段による画像の再生状況を示す再生状況データを含み、制御手段は、取得した再生状況データに基づいて、デジタルカメラの設定を変更することを特徴とする。
請求項７に記載の本発明は、画像再生装置で再生した画像内の被写体ごとの再生状況を示す再生状況データを取得するデータ取得手段と、撮影する画像内に存在する特定の被写体を、記録媒体に記録した被写体情報を用いて特定する特定手段と、特定手段によって特定された撮影する画像内に存在する被写体の撮影時に、データ取得手段より取得した再生状況データに基づいて、デジタルカメラの設定を変更する制御手段とを備えることを特徴とする。
【発明の効果】
【０００６】
本発明によれば、画像再生装置の利用状況に応じてデジタルカメラを制御することができ、両者の連携を十分に図ることができる。
【発明を実施するための最良の形態】
【０００７】
図１は、本実施の形態における画像再生システムの一実施の形態の構成を示すブロック図である。画像再生システム１００は、画像を撮像するデジタルカメラ２００と、デジタルカメラ２００で撮像した画像データを取り込んで再生する画像再生装置３００とで構成される。デジタルカメラ２００と画像再生装置３００は、所定の接続インターフェース、例えばＵＳＢインターフェースを介して接続され、種々の情報が相互に転送される。なお、本実施の形態においては、デジタルカメラ２００と画像再生装置３００とは、ＵＳＢインターフェースを介して有線接続される場合について説明するが、この他、無線ＬＡＮ接続などによる無線接続であってもよく、あるいはメモリカードなどの記録媒体を介して両者間で情報をやり取りするようにしてもよい。
【０００８】
デジタルカメラ２００は、入力スイッチ２０１と、レンズ２０２と、撮像素子２０３と、制御装置２０４と、モニタ２０５と、メモリ２０６と、接続インターフェース２０７を備えている。
【０００９】
入力スイッチ２０１は、使用者によって操作される種々の入力部材を含んでいる。例えば、この入力スイッチ２０１には、レリーズボタンやデジタルカメラ２００を操作するための種々の操作ボタンが含まれる。
【００１０】
レンズ２０２は、複数の光学レンズ群から構成されるが、図１では代表して１枚のレンズで表している。撮像素子２０３は、例えばＣＣＤであり、使用者によって入力スイッチ２０１に含まれるレリーズボタンが押下されるごとに、レンズ２０２を通して入力される被写体像を撮像することによって得られる画像データを制御装置２０４へ出力する。
【００１１】
制御装置２０４は、ＣＰＵやその他周辺回路で構成され、画像処理部２０４ａと、データ送受信部２０４ｂと、カメラ制御部２０４ｃとを機能的に有している。
【００１２】
画像処理部２０４ａは、撮像素子２０３から入力される画像データに対して、公知の補間処理や階調変換処理などの公知の処理を施す。また、被写体認識処理を実行して各画像内に存在する被写体を検出する。そして、検出した被写体をあらかじめメモリ２０６に記録してある被写体照合用の情報（被写体情報）と照合して、認識した被写体を特定する。本実施の形態では、例えば公知の顔認識処理を実行して、画像内に含まれる人物の顔を検出し、検出した人物の顔を個人を特定するための顔照合用の情報（顔登録データ）と照合して、画像内に写っている人物が誰であるかを特定する。
【００１３】
例えば、使用者が画像を撮影するために被写体に向けてデジタルカメラ２００を構えたときに撮像素子２０３からスルー画が入力されると、画像処理部２０４ａは、スルー画の各コマに対して上述した顔認識処理を実行して、スルー画内に存在する人物を特定する。ここで使用する被写体情報としての顔登録データは、使用者によってあらかじめ設定され、メモリ２０６内に記録されている。顔登録データとしては、各個人ごとに次の（Ａ）〜（Ｈ）で説明する各データが登録されている。
【００１４】
（Ａ）登録者名
登録者名は、登録対象の個人を識別するために付加された名称である。例えば、個人の本名やニックネームなど個人を特定できる名称が登録される。
（Ｂ）顔写真データ（画像データ）
顔写真データは、顔認識データ取得時の撮影画像データであって、所定の画素サイズにリサイズされて登録される。
（Ｃ）顔写真撮影日
顔写真撮影日は、（Ｂ）の顔写真データが撮影された日時を示す日時データである。
（Ｄ）人物登録日
人物登録日は、顔登録データに当該人物に関するデータが登録された日時を示す日時データである。
【００１５】
（Ｅ）データ更新日時
データ更新日時は、当該人物に関する顔登録データの内容が更新された日時を示す日時データである。
（Ｆ）登録者の撮影回数
登録者の撮影回数は、当該人物を被写体として画像が撮影された回数を示すデータである。この登録者の撮影回数は、初期値は０であり、画像の撮影時に顔認識処理が実行され、撮影された画像の中に当該人物が含まれていた場合に１が加算されていく。
（Ｇ）顔の特徴点データ
顔の特徴点データは、画像内から検出された人物の顔が誰の顔であるかを特定するために使用される照合用のデータである。一般的に、顔認識処理においては、画像内から特徴点を抽出して被写体の顔領域、顔の大きさ等を検出する。そして、画像内で検出した特徴点を、当該顔の特徴点データと照合することによって、その顔が誰であるかを特定する。なお、特徴点としては、例えば、眉、目、鼻、唇の各端点、顔の輪郭点、頭頂点や顎の下端点などが用いられる。
（Ｈ）その他格納データ
上述した（Ａ）〜（Ｇ）以外のその他のデータが必要に応じて登録される。なお、本実施の形態では、その他格納データにはデータをセットしない。
【００１６】
画像処理部２０４ａは、このように種々の画像処理を施し、顔認識処理を実行して画像内に写っている被写体を特定した後、画像データをメモリ２０６に記録する。このとき、メモリ２０６内には、顔登録データに登録されている各人物に対応したフォルダがあらかじめ作成されており、画像処理部２０４ａは、顔認識処理によって特定した人物用のフォルダに当該画像データを振り分けて保存する。これによって、画像内に写っている人物ごとに保存先のフォルダを自動的に振り分けることができる。なお、画像を撮影するに当たっては、後述するように、画像再生装置３００から受信したデータに基づいて、カメラ制御部２０４ｃによってデジタルカメラ２００の設定が制御される。
【００１７】
データ送受信部２０４ｂは、接続インターフェース２０７を介して画像再生装置３００と接続されたことを検出したときに、画像再生装置３００との間でデータの送受信を行う。本実施の形態では、デジタルカメラ２００から画像再生装置３００に対して、メモリ２０６に記録されている画像データ、顔登録データ（被写体情報）、およびメモリ２０６内に作成されているフォルダ構造に関するデータ（フォルダ構造に関するデータ）を送信する。
【００１８】
このとき、使用者は画像再生装置３００へデータを送信するか否かを設定することができ、データ送受信部２０４ｂは、データ送信可に設定されているときのみ、データの送信を行うようにし、データ送信不可に設定されている倍には、データの送信を行わない。なお、画像再生装置３００から受信するデータについては、後述する画像再生装置３００が送信するデータと一致するため、ここでの説明は省略する。
【００１９】
ここで、画像再生装置３００へ顔特徴データを送信するのは、後述するように画像再生装置３００も顔認識処理を実行することができ、画像再生装置３００が有する顔登録データとデジタルカメラ２００が有する顔要録データとの同期をとるためである。このとき、デジタルカメラ２００が有する顔登録データと画像再生装置３００が有する顔登録データとが同一のデータ形式（フォーマット）である場合には、データ送受信部２０４ｂは、上述した各個人ごとの（Ａ）〜（Ｈ）のデータをそのまま画像再生装置３００へ送信する。
【００２０】
一方、デジタルカメラ２００が有する顔登録データと画像再生装置３００が有する顔登録データとが同一のデータ形式でない場合には、データ送受信部２０４ｂは、画像再生装置３００側のデータ形式に合わせて顔登録データを編集した後にデータを送信する。例えば、画像再生装置３００が有する顔登録データが（Ａ）および（Ｂ）のデータのみで構成されている場合には、次のように送信するデータを編集する。
【００２１】
（Ａ）登録者名
メモリ２０６に記録されている（Ａ）の情報をそのまま使用する。
（Ｂ）顔写真データ
メモリ２０６に記録されている（Ｂ）の情報をそのまま使用する。
（Ｃ）顔写真撮影日
データを設定しない。
（Ｄ）人物登録日
データ送受信部２０４ｂによるデータ送信日時（データ転送日時）を設定する。
【００２２】
（Ｅ）データ更新日時
データ送受信部２０４ｂによるデータ送信日時（データ転送日時）を設定する。
（Ｆ）登録者の撮影回数
データを設定しない。
（Ｇ）顔の特徴点データ
データ送受信部２０４ｂが（Ｂ）の顔写真データに基づいて顔の特徴点を抽出して作成する。
（Ｈ）その他格納データ
データを設定しない。
【００２３】
なお、データ送受信部２０４ｂは、画像再生装置３００へデータを送信するに当たっては、画像再生装置３００が備えるＨＤＤ３０４に、送信しようとする画像データと顔登録データとを記録するための空き容量があるか否かをチェックする。そして、画像再生装置３００側にＨＤＤ３０４の空き容量がないと判断した場合にはデータの送信は行わない。あるいは、撮影日が新しい画像データおよび人物登録日が新しい顔登録データを優先して送信したり、撮影頻度が高い人物の顔登録データを優先して送信するようにしてもよい。
【００２４】
カメラ制御部２０４ｃは、使用者からの指示に応じてメモリ２０６に記録されている画像を再生したり、デジタルカメラ２００の設定を変更したりする。また、このカメラ制御部２０４ｃは、画像再生装置３００から受信したデータに基づいて、デジタルカメラ２００の設定を変更する。このカメラ制御部２０４ｃによる設定変更処理については、データ送受信部２０４ｂが画像再生装置３００から受信するデータの内容とともに後述する。
【００２５】
次に、画像処理装置３００について説明する。なお、画像処理装置３００としては、例えば画像を蓄積するためのフォトストレージャが使用され、この画像処理装置３００は、入力装置３０１と、制御装置３０２と、接続インターフェース３０３と、ＨＤＤ（ハードディスクドライブ）３０４と、モニタ３０５とを備えている。
【００２６】
入力装置３０１は、例えば、操作用リモコン（リモコン）であり、このリモコンには画像処理装置３００を操作するために必要なボタン（キー）が配置されている。使用者はこのリモコンを操作することによって、画像処理装置３００に対して種々の指示を出すことができる。
【００２７】
接続インターフェース３０３は、デジタルカメラ２００が備える接続インターフェース２０７と同様にＵＳＢインターフェースである。また、ＨＤＤ３０４には、後述するようにデジタルカメラ２００から取り込んだ画像データや画像処理装置３００上で実行される種々のプログラムなどが格納される。また、後述するように、制御装置３０２が備える画像処理部３０２ｂは、デジタルカメラ２００の画像処理部２０４ａと同様に顔認識処理を実行することができる。そしてこのときに使用される顔登録データもこのＨＤＤ３０４に記録されている。
【００２８】
制御装置３０２は、ＣＰＵ、メモリ、およびその他周辺回路で構成され、データ送受信部３０２ａと、画像処理部３０２ｂと、画像再生部３０２ｃと、情報管理部３０２ｄとを機能的に備えている。
【００２９】
データ送受信部３０２ａは、デジタルカメラ２００から送信されてくる上述した種々の情報を接続インターフェース３０３を介して受信する。そして、受信したフォルダ構造に関するデータに基づいて、ＨＤＤ３０４内にフォルダを作成する。すなわち、受信したフォルダ構造に関するデータに基づいてデジタルカメラ２００で作成されているフォルダ構造を判定し、ＨＤＤ３０４に既に作成されているフォルダのフォルダ構造と比較する。そして、デジタルカメラ２００にあって画像再生装置３００にないフォルダがある場合には、ＨＤＤ３０４内にそのフォルダを作成して、フォルダ構造の同期をとる。
【００３０】
データ送受信部３０２ａは、さらに受信した顔登録データをＨＤＤ３０４内にあらかじめ記録してある顔登録データに記録する。このとき、受信した顔登録データとＨＤＤ３０４内にあらかじめ記録してある顔登録データとを比較して、一致しないデータ、すなわちデジタルカメラ２００側で更新されたデータ、および不足しているデータ、すなわちデジタルカメラ２００側で新たに登録されたデータを抽出して、ＨＤＤ３０４内の顔登録データを更新する。
【００３１】
また、受信した顔登録データとＨＤＤ３０４内に記録されている顔登録データとを比較した結果、登録者名が同一であるにも関わらず、顔の特徴点データが異なるデータが存在する場合には、それぞれを異なる人物に関する顔登録データとしてＨＤＤ３０４に記録する。例えば、ＨＤＤ３０４内の顔登録データと受信した顔登録データの両方に、登録者名が「子供」というデータが存在し、それぞれの顔の特徴点データが異なる場合には、それぞれ「子供１」、「子供２」のようにして、別々のデータとして記録する。
【００３２】
これに対して、登録者名が異なるにも関わらず、顔の特徴点データが一致するデータが存在する場合には、両者は同じ人物の顔登録データであると考えられる。この場合には、データ送受信部３０２ａは、両者をそのままＨＤＤ３０４に記録しておき、次回、使用者によって画像再生装置３００の電源がオンされたときに、モニタ３０５に同一人物の可能性が高い複数の顔登録データが登録されている旨を警告する。
【００３３】
画像処理部３０２ｂはまた、データ送受信部３０２ａによって受信された画像データに対して、上述した顔認識処理を実行し、各画像内に写っている人物を特定する。そして、各画像データを特定した人物に応じたフォルダに振り分けてＨＤＤ３０４に記録する。
【００３４】
画像再生部３０２ｃは、使用者からの指示に応じて画像を再生し、モニタ３０５に表示する。本実施の形態では、使用者は、ＨＤＤ３０４に記録されているいずれか１枚、または複数枚の画像を指定して画像の再生を指示することができ、この場合には、画像再生部３０２ｃは、指定された画像を１枚ずつ個別にモニタ３０６に表示する。また、使用者は、ＨＤＤ３０４に記録されている画像の中から複数枚の画像を選択して、これらの画像をスライドショー表示するように指示することもできる。この場合には、画像再生部３０２ｃは、選択された各画像をスライドショー再生する。
【００３５】
画像再生部３０２ｃは、再生したスライドショーに関するデータをスライドショーデータとしてＨＤＤ３０４へ記録する。ここでは、画像がスライドショーとして再生されたときに、使用者に対してスライドショーデータを記録するか否かを問い合わせて、使用者によって記録が指示されたときにのみ記録を行うようにしてもよい。スライドショーデータとしては、指定された複数枚の画像の画像データ、および表示効果としての表示パターン、表示速度、同時に再生する音楽データなどを記録する。なお、画像データは、デジタルカメラ２００が備える液晶モニタのサイズ、例えばＱＶＧＡサイズに縮小してから記録するようにしてもよい。
【００３６】
また、デジタルカメラ２００が動画再生機能を備えている場合には、スライドショーとして再生する画像を順番に表示する動画データを作成して記録するようにしてもよい。なお、動画データとしては、例えば、表示サイズをＱＶＧＡサイズ、フレームレートを３０ｆｐｓとしたＭＥＰＧ４形式の動画データを生成して記録する。
【００３７】
使用者は、さらに、再生中の画像を拡大表示するように指示することもできる。画像再生部３０２ｃは、使用者によって画像の拡大表示が指示された場合には、再生中の画像を所定の倍率、例えば２倍に拡大して、モニタ３０６に表示する。なお、拡大表示は、１段階だけではなく、例えば１．５倍、２倍、３倍・・・などのように複数段階に切り替えて拡大することも可能である。
【００３８】
情報管理部３０２ｄは、画像再生部３０２ｃによって画像が再生される度に、その再生された画像内に存在する人物を特定し、各人物ごとの画像の再生回数をカウントする。また、画像が拡大表示されときには、その拡大表示された画像内に存在する人物を特定し、各人物ごとの画像の拡大表示回数をカウントする。すなわち、情報管理部３０２ｄは、画像再生部３０２ｃによって画像が再生されたときに、画像処理部３０２ｂを制御してその再生された画像内に存在する人物を特定し、各人物ごとに画像の再生回数および拡大表示回数をカウントする。
【００３９】
そして、そのカウント値をＨＤＤ３０４に再生状況データを記録する。例えば、情報管理部３０２ｄは、人物ごとの画像の再生回数をカウントするための再生カウンタをＨＤＤ３０４に記録しておき、画像が再生されるごとにその画像に写っている人物用の再生カウンタのカウント値に１を加算していく。また、人物ごとの拡大表示回数をカウントするための拡大表示カウンタもＨＤＤ３０４に記録しておき、画像が拡大表示されるごとにその画像に写っている人物用の拡大表示カウンタのカウント値に１を加算していく。そして、それらのカウンタのカウント値を人物ごとにデータベース化した再生状況データをＨＤＤ３０４に記録する。
【００４０】
データ送受信部３０２ａは、接続インターフェース３０３を介してデジタルカメラ２００と接続されたことを検出したときに、ＨＤＤ３０４に記録されている顔登録データ、スライドショーデータ、再生状況データ、およびＨＤＤ３０４内に作成されているフォルダ構造に関するデータ（フォルダ構造に関するデータ）を画像再生装置３００の利用状況を示すデータ（利用状況データ）として接続インターフェース３０３を介してデジタルカメラ２００へ送信する。
【００４１】
デジタルカメラ２００において、データ送受信部２０４ｂは、この利用状況データを受信する。そして、データ送受信部２０４ｂは、受信したデータをメモリ２０６へ記録する。このとき、データ送受信部２０４ｂは、顔登録データをメモリ２０６に記録するに当たっては、受信した顔登録データとメモリ２０６内に既に記録してある顔登録データとを比較して、一致しないデータ、すなわち画像再生装置３００側で更新されたデータ、および不足しているデータ、すなわち画像再生装置３００側で新たに登録されたデータを抽出して、メモリ２０６内の顔登録データを更新する。また、受信したフォルダ構造に関するデータに基づいて、メモリ２０６内にフォルダを作成する。
【００４２】
カメラ制御部２０４ｃは、使用者からメモリ２０６に記録されているスライドショーデータのうち、いずれかの再生が指示された場合には、該当するスライドショーデータをメモリ２０６から読み込んで再生する。
【００４３】
また、カメラ制御部２０４ｃは、画像の撮影時には、メモリ２０６に記録されている再生状況データに基づいて、撮影時のデジタルカメラ２００の設定を変更する。具体的には、カメラ制御部２０４ｃは、再生状況データに含まれている人物ごとの画像の再生回数に基づいて画像撮影時のＡＦ優先度を決定する。また、人物ごとの画像の拡大表示回数に基づいて画像撮影時の解像度を変更する。なお、本実施の形態では、カメラ制御部２０４ｃは、例えば使用者によってデジタルカメラ２００のモードが撮影モードに設定されたときに、画像の撮影が開始されたことを検出する。
【００４４】
まず、カメラ制御部２０４ｃは、使用者が画像を撮影するために被写体に向けてデジタルカメラ２００を構えたときに、撮像素子２０３から入力されるスルー画内に存在する被写体を画像処理部２０４ａからの出力に基づいて特定する。すなわち、画像処理部２０４ａは、上述したようにスルー画の各コマに対して顔認識処理を実行し、スルー画内に存在する人物を特定する。
【００４５】
カメラ制御部２０４ｃは、画像処理部２０４ａによってスルー画内に存在する人物が特定された結果、スルー画内から1人の人物が特定された場合には、その人物に焦点を合わせるようにデジタルカメラ２００のＡＦを制御する。これに対して、スルー画内から複数の人物が特定された場合には、この特定結果と人物ごとの画像の再生回数に基づいて画像撮影時のＡＦ優先度を決定する。すなわち、特定された複数の人物のうち、画像の再生回数が最も多い人物のＡＦ優先度を上げて、その人物に焦点を合わせるようにデジタルカメラ２００のＡＦを制御する。例えば、スルー画内にＡとＢの２人の人物が存在し、Ａの再生回数が１０回、Ｂの再生回数が５回である場合には、Ａに焦点を合わせるようにデジタルカメラ２００のＡＦを制御する。
【００４６】
これによって、使用者が画像を撮影するために被写体に向けてデジタルカメラ２００を構えたときに、自動的に画像再生装置３００上でよく再生される人物に焦点を合わせることができ、この状態で使用者がレリーズボタンを押下することによって、使用者が主要被写体として撮影したいと考えている可能性が高い人物に合焦した画像を撮影することができる。
【００４７】
また、カメラ制御部２０４ｃは、画像処理部２０４ａによって特定されたスルー画内の人物の拡大表示回数に基づいて、撮影時の解像度を設定する。例えば、拡大して表示されることが多い人物の画像は、あらかじめ解像度を上げて撮影しておくことによって、拡大表示されたときにも画像をきれいに表示することができる。これを加味して、カメラ制御部２０４ｃは、スルー画内に拡大表示回数が所定回数以上である人物が含まれている場合には、高解像度で画像を撮影するようにデジタルカメラ２００を制御する。
【００４８】
図２は、本実施の形態におけるデジタルカメラ２００の処理を示すフローチャートである。図２に示す処理は、デジタルカメラ２００の電源がオンされると起動するプログラムとして、制御装置２０４によって実行される。
【００４９】
ステップＳ１０において、データ送受信部２０４ｂは、接続インターフェース２０７を介して画像再生装置３００と接続されたか否かを判断する。画像再生装置３００と接続されていないと判断した場合には、後述するステップＳ５０へ進む。これに対して、画像再生装置３００と接続されたと判断した場合には、ステップＳ２０へ進む。
【００５０】
ステップＳ２０では、データ送受信部２０４ｂは、メモリ２０６に記録されている画像データ、顔登録データ、およびメモリ２０６内に作成されているフォルダ構造に関するデータをデジタルカメラ２００へ送信する。このとき、データ送受信部２０４ｂは、上述したように、画像再生装置３００が有する顔登録データのデータ形式に基づいて、各個人ごとの（Ａ）〜（Ｈ）のデータを含む顔登録データを生成する。また、画像再生装置３００が備えるＨＤＤ３０４の空き容量をチェックして、空き容量に応じたデータを送信する。その後、ステップＳ３０へ進む。
【００５１】
ステップＳ３０では、画像再生装置３００から上述した顔登録データ、スライドショーデータ、再生状況データ、およびフォルダ構造に関するデータの受信が完了したか否かを判断する。データの受信が完了したと判断した場合には、ステップＳ４０へ進む。ステップＳ４０では、データ送受信部２０４ｂは、受信したデータをメモリ２０６へ記録する。このとき、受信した顔登録データとメモリ２０６内に既に記録してある顔登録データとを比較して、画像再生装置３００側で更新されたデータ、および画像再生装置３００側で新たに登録されたデータを抽出して、メモリ２０６内の顔登録データを更新する。その後、ステップＳ５０へ進む。
【００５２】
ステップＳ５０では、使用者によって画像の撮影が開始されたか否かを判断する。使用者によって画像の撮影が開始されないと判断した場合には、後述するステップＳ１１０へ進む。これに対して、画像の撮影が開始されたと判断した場合には、ステップＳ６０へ進む。ステップＳ６０では、画像処理部２０４ａは、撮像素子２０３から入力されるスルー画の各コマに対して上述した顔認識処理を行って、スルー画内に存在する被写体を特定して、ステップＳ７０へ進む。
【００５３】
ステップＳ７０では、カメラ制御部２０４ｃは、画像処理部２０４ａによるスルー画内に存在する人物の特定結果、およびメモリ２０６に記録されている再生状況データに基づいて、撮影時のデジタルカメラ２００の設定を変更する。すなわち、デジタルカメラ２００のＡＦ優先度、および撮影時の解像度を変更する。その後、ステップＳ８０へ進み、カメラ制御部２０４ｃは、使用者によってレリーズボタンが押下されたか否かを判断する。レリーズボタンが押下されていないと判断した場合には、ステップＳ６０へ戻って処理を繰り返す。一方、レリーズボタンが押下されたと判断した場合には、ステップＳ９０へ進む。
【００５４】
ステップＳ９０では、カメラ制御部２０４ｃは、使用者によってレリーズボタンが押下されたタイミングで撮像素子２０３から入力されているコマの画像を撮影画像として取得する。その後、ステップＳ１００へ進み、画像処理部２０４ａは、当該撮影画像に対して種々の画像処理を施した後、既に特定されている画像内の被写体に応じたフォルダに振り分けてメモリ２０６へ記録する。その後、ステップＳ１１０へ進む。
【００５５】
ステップＳ１１０では、使用者によってデジタルカメラ２００の電源がオフされたか否かを判断する。電源がオフされていないと判断した場合には、ステップＳ１０へ戻って処理を繰り返す。これに対して、電源がオフされたと判断した場合には、処理を終了する。
【００５６】
図３は、本実施の形態における画像再生装置３００の処理を示すフローチャートである。図３に示す処理は、画像再生装置３００の電源がオンされると起動するプログラムとして、制御装置３０２によって実行される。
【００５７】
ステップＳ２１０において、データ送受信部３０２ａは、接続インターフェース３０３を介してデジタルカメラ２００と接続されたか否かを判断する。デジタルカメラ２００と接続されていないと判断した場合には、後述するステップＳ２５０へ進む。これに対して、デジタルカメラ２００と接続されたと判断した場合には、ステップＳ２２０へ進む。
【００５８】
ステップＳ２２０では、データ送受信部３０２ａは、ＨＤＤ３０４に記録されている顔登録データ、スライドショーデータ、再生状況データ、およびフォルダ構造に関するデータを、接続インターフェース３０３を介してデジタルカメラ２００へ送信する。その後、ステップＳ２３０へ進み、デジタルカメラ２００から画像データ、顔登録データ、およびメモリ２０６内に作成されているフォルダ構造に関するデータの受信が完了したか否かを判断する。データの受信が完了したと判断した場合には、ステップＳ２４０へ進む。
【００５９】
ステップＳ２４０では、データ送受信部３０２ａは、受信したフォルダ構造に関するデータに基づいて、ＨＤＤ３０４内にフォルダを作成し、受信した顔登録データを用いてＨＤＤ３０４内に記録されている顔登録データを更新する。そして、受信した画像データおよびスライドショーデータを人物ごとのフォルダに振り分けてＨＤＤ３０４に記録する。その後、ステップＳ２５０へ進む。
【００６０】
ステップＳ２５０では、画像再生部３０２ｃは、使用者によってスライドショーの実行が指示されたか否かを判断する。スライドショーの実行が指示されていないと判断した場合には、後述するステップＳ２７０へ進む。これに対して、スライドショーの実行が指示されたと判断した場合には、ステップＳ２６０へ進む。ステップＳ２６０では、画像再生部３０２ｃは、使用者によってスライドショーの対象として選択された画像を順番にモニタ３０５へ表示してスライドショー再生する。さらに、このときのスライドショーデータを作成してＨＤＤ３０４へ記録する。その後、ステップＳ２７０へ進む。
【００６１】
ステップＳ２７０では、画像再生部３０２ｃは、使用者によって画像の再生が指示されたか否かを判断する。画像の再生が指示されていないと判断した場合には、後述するステップＳ２９０へ進む。これに対して、画像の再生が指示されたと判断した場合には、ステップＳ２８０へ進む。ステップＳ２８０では、画像再生部３０２ｃは、使用者によって選択された画像をモニタ３０５へ表示して再生する。さらに、情報管理部３０２ｄは、再生を行った画像内に存在する人物を特定し、特定した人物の再生カウンタに１を加算して更新する。その後、ステップＳ２９０へ進む。
【００６２】
ステップＳ２９０では、画像再生部３０２ｃは、使用者によって画像の拡大表示が指示されたか否かを判断する。画像の拡大表示が指示されていないと判断した場合には、後述するステップＳ３１０へ進む。これに対して、画像の拡大表示が指示されたと判断した場合には、ステップＳ３００へ進む。ステップＳ３００では、画像再生部３０２ｃは、現在、モニタ２０５に表示中の画像を拡大表示する。さらに、情報管理部３０２ｄは、拡大表示を行った画像内に存在する人物の拡大表示カウンタに１を加算して更新する。その後、ステップＳ３１０へ進む。
【００６３】
ステップＳ３１０では、使用者によって画像再生装置３００の電源がオフされたか否かを判断する。電源がオフされていないと判断した場合には、ステップＳ２１０へ戻って処理を繰り返す。これに対して、電源がオフされたと判断した場合には、処理を終了する。
【００６４】
以上説明した本実施の形態によれば、以下のような作用効果を得ることができる。
（１）デジタルカメラ２００が有する顔登録データを画像再生装置３００へ送信し、画像再生装置３００が有する顔登録データをデジタルカメラ２００から送信した顔登録データを用いて更新するようにした。これによって、デジタルカメラ２００と画像再生装置３００との間で顔登録データの同期をとることができ、使用者はデジタルカメラ２００上で顔登録データを登録・更新するだけで、その内容を画像再生装置３００上でも使用できるようになる。
【００６５】
（２）デジタルカメラ２００の画像処理部２０４ａ、および画像再生装置３００の画像処理部３０２ｂのそれぞれで顔登録データを用いた顔認識処理を行うようにした。これによって、デジタルカメラ２００および画像再生装置３００のいずれにおいても、画像内に存在する人物を特定することが可能となる。
【００６６】
（３）画像再生装置３００からデジタルカメラ２００へ利用状況データを送信し、デジタルカメラ２００においては、カメラ制御部２０４ｃは、受信した利用状況データに基づいて、デジタルカメラ２００を制御するようにした。これによって、画像再生装置３００の使用者による利用状況をデジタルカメラ２００の制御に自動的に反映することができる。
【００６７】
（４）利用状況データには、ＨＤＤ３０４内に作成されているフォルダ構造に関するデータを含み、これを受信したデジタルカメラ２００では、受信したフォルダ構造に関するデータに基づいて、メモリ２０６内にフォルダを作成するようにした。また、デジタルカメラ２００から画像再生装置３００に対してもフォルダ構造に関するデータを送信し、これを受信した画像再生装置３００では、受信したフォルダ構造に関するデータに基づいて、ＨＤＤ３０４内にフォルダを作成するようにした。これによって、デジタルカメラ２００と画像再生装置３００のそれぞれで使用者によって作成されたフォルダの同期を自動的にとることができる。
【００６８】
（５）利用状況データには、画像再生装置３００上で再生された画像のスライドショーデータを含むようにした。これによって、画像再生装置３００上で再生された画像のスライドショーを、デジタルカメラ２００上でも閲覧することができる。
【００６９】
（６）利用状況データには、被写体ごとの再生状況データを含み、デジタルカメラ２００においては、カメラ制御部２０４ｃは、受信した再生状況データに基づいて、デジタルカメラ２００の設定を変更するようにした。これによって、画像再生装置３００の利用状況を画像撮影時のデジタルカメラ２００の設定に反映することができる。
【００７０】
（７）被写体ごとの再生状況データとして、被写体ごとの画像の再生回数を送信するようにし、カメラ制御部２０４ｃは、撮影時に複数の被写体が特定された場合には、再生回数が最も多い被写体に対して焦点を合わせて画像を撮影するようにした。これによって、よく再生される人物は、使用者が主要被写体として撮影したいと考えている人物である可能性が高いことを加味して、自動的に主要被写体に焦点を合わせて画像を撮影することができる。
【００７１】
（８）被写体ごとの再生状況データとして、被写体ごとの再生時に拡大表示された回数を送信するようにし、カメラ制御部２０４ｃは、特定された被写体が画像再生装置上で拡大表示された回数に応じて、撮影時の撮影解像度を変化させるようにした。これによって、拡大表示回数が多い人物が被写体に含まれている画像を高い解像度で撮影することができ、使用者は拡大して表示した時でも綺麗な画像を閲覧できるようになる。
【００７２】
―変形例―
なお、上述した実施の形態の画像再生システムは、以下のように変形することもできる。
（１）上述した実施の形態では、デジタルカメラ２００から画像再生装置３００へ顔登録データを送信し、画像再生装置３００のデータ送受信部３０２ａは、受信した顔登録データとＨＤＤ３０４内にあらかじめ記録してある顔登録データとを比較して、一致しないデータおよび不足しているデータを抽出して、ＨＤＤ３０４内の顔登録データを更新する例について説明した。しかしこれに限定されず、デジタルカメラ２００からデータを送信する際に、データ送受信部２０４ｂが、メモリ２０６内に記録されている顔登録データと画像再生装置３００のＨＤＤ３０４内に記録されている顔登録データとを照合して、ＨＤＤ３０４内にない顔登録データのみを画像再生装置３００へ送信するようにしてもよい。
【００７３】
（２）上述した実施の形態では、画像再生装置３００の情報管理部３０２ｄは、人物ごとの画像の再生回数および拡大表示回数を記録しておき、データ送受信部３０２ａは、これらの再生状況データをデジタルカメラ２００へ送信した。そして、デジタルカメラ２００のカメラ制御部２０４ｃは、受信した再生状況データに応じて、デジタルカメラ２００の設定を変更する例について説明した。しかしながら、情報管理部３０２ｄは、上述した再生状況データ以外に、使用者が各画像を印刷した回数などのデータも画像再生装置３００の利用状況に含めて記録するようにし、カメラ制御部２０４ｃは、これらの情報も加味してデジタルカメラ２００の設定を変更するようにしてもよい。
【００７４】
（３）上述した実施の形態では、デジタルカメラ２００の画像処理部２０４ａおよび画像再生装置３００の画像処理部３０２ｂは、被写体認識として顔認識処理を実行し、画像内に存在する人物を特定する例について説明した。しかしながら、公知のシーン判定処理を行って画像の撮影シーンを判定するようにしてもよい。そして、デジタルカメラ２００および画像再生装置３００の双方において、シーンごとにフォルダ分けを行って画像を記録してもよい。
【００７５】
（４）上述した実施の形態では、画像再生装置３００のＨＤＤ３０４に記録されている顔登録データをデジタルカメラ２００へ送信する例について説明した。しかしこれに限定されず、例えば画像処理装置３００のＨＤＤ３０４に記録されている顔登録データのうち、再生カウンタまたは拡大表示カウンタが一定値以上の人物に対応する顔登録データのみを抽出してデジタルカメラ２００へ送信するようにしてもよい。
【００７６】
（５）上述した実施の形態では、デジタルカメラ２００のカメラ制御部２０４ｃは、画像再生装置３００から受信した再生状況データに基づいて、画像撮影時のＡＦ優先度を変更する例について説明した。しかしながら、画像撮影時のＡＥを設定するようにしてもよい。
【００７７】
（６）上述した実施の形態では、画像再生装置３００の情報管理部３０２ｄは、人物ごとの画像の再生回数をカウントしてデジタルカメラ２００へ送信し、デジタルカメラ２００のカメラ制御部２０４ｃは、当該再生回数に基づいて、画像撮影時のＡＦ優先順位を変化させる例について説明した。しかしながら、情報管理部３０２ｄは、画像ごとの再生回数もカウントし、カメラ制御部２０４ｃは、よく再生される画像を使用者のお気に入りの画像とみなして、カメラの壁紙や起動時画面にして設定するようにしてもよい。また、画像再生装置３００上で使用者が「お気に入り画像」を指定することができるようにし、カメラ制御部２０４ｃは、「お気に入り画像」に指定されている画像をカメラの壁紙や起動時画面にして設定するようにしてもよい。
【００７８】
（７）上述した実施の形態では、画像再生装置３００からデジタルカメラ２００へ再生状況データを送信し、デジタルカメラ２００では、カメラ制御部２０４ｃが再生状況データに基づいてデジタルカメラ２００の設定を変更する例について説明した。しかしながら、画像再生装置３００にカメラ制御部２０４ｃと同一の機能を搭載し、画像再生装置３００側から再生状況データに基づいてデジタルカメラ２００の設定を変更するようにしてもよい。
【００７９】
なお、本発明の特徴的な機能を損なわない限り、本発明は、上述した実施の形態における構成に何ら限定されない。
【図面の簡単な説明】
【００８０】
【図１】画像再生システムの一実施の形態の構成を示すブロック図である。
【図２】デジタルカメラ２００の処理を示すフローチャート図である。
【図３】画像再生装置３００の処理を示すフローチャート図である。
【符号の説明】
【００８１】
１００  画像再生システム、２００  デジタルカメラ、２０１  入力スイッチ、２０２  レンズ、２０３  撮像素子、２０４  制御装置、２０４ａ、３０２ｂ  画像処理部、２０４ｂ、３０２ａ  データ送受信部、２０４ｃ  カメラ制御部、２０５、３０５  モニタ、２０６  メモリ、２０７、３０３  接続インターフェース、３００  画像処理装置、３０１  入力装置、３０２  制御装置、３０２ｃ  画像再生部、３０２ｄ  情報管理部、３０４  ＨＤＤ
【図１】
0005124994.tif 000002
【図２】
0005124994.tif 000003
【図３】
0005124994.tif 000004